(57)【要約】【課題】興行主からチケット販売業者への興行に関する情報の伝達時に誤った情報が伝えられることのない興行情報入力方法、チケット販売システム及び管理システムを提供する。【解決手段】興行を主催する主催者が、管理会社が管理システム４により管理するチケット販売システム１０００に登録を行うことにより、管理システム４が認証情報を発行し、興行主は、認証に合格することによって、管理会社が管理するチケット販売用ページにおいて開示される興行に関する情報を自由に入力及び編集できる。【選択図】図１
2009176278.tif 000002
【特許請求の範囲】
【請求項１】
興行に関する各種情報である興行情報を開示し、当該興行のチケットを販売するチケット販売システムにおいて、興行を主催する興行主が興行情報を直接入力することができる興行情報入力方法であって、
前記チケット販売システムは、
前記興行主による操作入力を受け付ける興行主端末と、
前記チケット販売システムを構築及び管理する管理会社の管理システムと、
前記興行主端末と前記管理システムとの間の通信を媒介するネットワークと、
を有し、
前記管理システムは、前記興行主端末を認証するための認証情報を記憶する認証情報データベースと、前記興行情報を記憶するための興行情報データベースとを有する記憶部を有し、
前記興行主端末により興行情報の入力要求が前記ネットワークを介して前記管理システムに送信されたとき、前記認証情報を用いて前記興行主端末の認証を行い、認証に合格した場合に、前記興行主端末に対して前記ネットワークを介した前記興行情報データベースへの入力を許可する
興行情報入力方法。
【請求項２】
前記興行主端末により興行情報の編集要求が前記ネットワークを介して前記管理システムに送信されたとき、前記認証情報を用いて前記興行主端末の認証を行い、認証に合格した場合に、前記興行主端末に対して前記ネットワークを介した前記興行情報データベースに記憶された興行情報の編集を許可する
請求項１に記載の興行情報入力方法。
【請求項３】
前記興行情報は、当該興行が行われる会場名、興行名、ジャンル、興行期間、興行主の連絡先情報、席種、料金、出演者、演目、情報公開日、チケットの発売日、興行に関する画像、前記興行主による当該興行に対するコメント、のうちの少なくとも１つを含む
請求項１または２に記載の興行情報入力方法。
【請求項４】
前記ネットワークはインターネットであり、
前記興行主端末は、前記認証に合格した際に、興行情報入力用のウェブページにおいて前記興行情報の入力を行う
請求項１から３のいずれか一項に記載の興行情報入力方法。
【請求項５】
前記管理システムは、当該管理システムの担当者によるチケット販売システムの管理のための操作を受け付ける操作部をさらに有し、
前記興行主端末を介した前記興行主或いは前記操作部を介した前記担当者により前記興行情報データベースに記憶された興行情報の編集が行われている際には、他の担当者による前記興行情報の編集を阻止する
請求項２に記載の興行情報入力方法。
【請求項６】
興行に関する各種情報である興行情報を開示し、当該興行のチケットを販売するチケット販売システムにおいて、興行を主催する興行主が興行情報を直接入力することができるチケット販売システムであって、
前記興行主による操作入力を受け付ける興行主端末と、
前記チケット販売システムを構築及び管理する管理会社の管理システムと、
前記興行主端末と前記管理システムとの間の通信を媒介するネットワークと、
を有し、
前記管理システムは、
記憶部と、
制御部と、
を有し、
前記記憶部は、前記興行主端末を認証するための認証情報を記憶する認証情報データベースと、前記興行情報を記憶するための興行情報データベースとを有し、
前記制御部は、前記興行主端末により興行情報の入力要求が前記ネットワークを介して前記管理システムに送信されたとき、前記認証情報を用いて前記興行主端末の認証を行い、認証に合格した場合に、前記興行主端末に対して前記ネットワークを介した前記興行情報データベースへの入力を許可する
チケット販売システム。
【請求項７】
興行に関する各種情報である興行情報を開示し、当該興行のチケットを販売するチケット販売システムにおいて、興行情報を記憶・管理し、興行を主催する興行主に対して当該興行に関する興行情報の入力を許可する管理システムであって、
ネットワークを介して前記興行主により操作される興行主端末との通信を行う通信部と、
記憶部と、
制御部と、
を有し、
前記記憶部は、前記興行主端末を認証するための認証情報を記憶する認証情報データベースと、前記興行情報を記憶するための興行情報データベースとを有し、
前記制御部は、前記興行主端末により興行情報の入力要求を前記ネットワークを介して前記通信部が受信したとき、前記認証情報を用いて前記興行主端末の認証を行い、当該認証に合格した場合に、前記興行主端末に対して前記ネットワークを介した前記興行情報データベースへの入力を許可する
管理システム。
【発明の詳細な説明】
【技術分野】
【０００１】
本発明は、オンラインチケット販売のための興行情報入力方法、チケット販売システム及び管理システムに関する。
【背景技術】
【０００２】
現在、インターネット等、ネットワーク上で各種チケットの販売を行うシステムが存在する。
このようなチケット販売システムにおいて、購入者はチケットを購入する対象となるイベント（コンサート、演劇等の興行の類）とその日時、枚数等を選択し、クレジットカードやインターネットバンキング等により決済することによりチケットを購入することができる。
このようなチケット販売システムのための技術として、例えば特許文献１、２に開示された技術がある。
【０００３】
【特許文献１】特開２００３−３６３２８号公報
【特許文献２】特開２００７−１７９４３３号公報
【発明の開示】
【発明が解決しようとする課題】
【０００４】
特許文献１には、チケット販売管理サーバ１はチケット販売仲介機２と接続されており、さらに、チケット販売仲介機２はネットワーク３に接続されて、情報端末４及びチケット販売機５との間でネットワーク３を介した仲介を行うチケット販売システムが開示されている。
【０００５】
特許文献２には、チケット販売支援サーバ１は、チケットの購入希望者から購入するチケットに関する情報、購入希望価格に関する情報、購入希望者に関する情報を含む購入希望情報を受信し、格納し、チケット販売支援サーバ１は、所定の期間になると、販売可能なチケットを有するか否か、購入希望者がいるか否かを判別し、チケットの購入者を決定して、購入者の端末に、チケットの購入者に決定した旨の情報を含むチケット情報を送信するチケット販売支援システムが開示されている。
【０００６】
上述した特許文献１、２に開示されたチケット販売（支援）システムでは、購入者がチケットを購入したい興行に関する情報を得ることができるように、興行に関する情報、すなわち例えば興行日程、会場、出演者、価格等が購入者に示される必要がある。
すなわち、興行主（興行の主催者）が興行に関する情報を業者（チケット販売業者、チケット販売システムの管理者）に伝達し、業者が伝達された情報をチケット販売システムに反映することにより情報を購入者に開示する。
【０００７】
興行主が業者に対して興行に関する情報を伝達し、業者が当該情報をチケット販売（支援）システムに反映させる方法としては、例えば興行主が端末装置等に対して情報を入力することにより業者に対して興行に関する情報を伝達し、業者が伝達された情報をチケット販売（支援）システムに対して再度入力してシステムに情報を反映させる方法がある。
しかし、このような方法では、興行主が業者に情報を伝達するためと業者がシステムに情報を反映させるための２度の情報入力が必要となり、非効率的である、という不利益があった。
【０００８】
また、興行主から業者への他の情報伝達方法として、電話、ＦＡＸ、Ｅメール等の手段により興行主が興行に関する各種情報（興行日程、会場、価格等）を業者に伝え、業者がシステムに情報を反映する方法があった。
しかし、このような方法では、興行主から業者への情報の伝達時にミスが生じる（例えば、電話での業者の聞き取りミス、ＦＡＸ文書の文字の潰れ等）場合があり、この場合は業者が購入者に対して示した興行に関する情報に誤りが生じてしまう。
また、興行主から業者への興行に関する各種情報の伝達が一度なされ、購入者に対して示された後に、当該情報に変更が生じる場合がある。このような場合にも、興行主から業者へと変更箇所の情報の伝達が行われ、業者がシステムに変更を反映させるため、変更のたびに情報の伝達ミスや業者の入力ミス等により、誤った情報がシステムに反映されてしまう恐れがある。
【０００９】
本発明は、上述した事態を回避するために、興行主からチケット販売業者への興行に関する情報の伝達時に誤った情報が伝えられることのない興行情報入力方法、チケット販売システム及び管理システムを提供することを目的とする。
【課題を解決するための手段】
【００１０】
上述した不利益を解消するために、第１の発明の興行情報入力方法は、興行に関する各種情報である興行情報を開示し、当該興行のチケットを販売するチケット販売システムにおいて、興行を主催する興行主が興行情報を直接入力することができる興行情報入力方法であって、前記チケット販売システムは、前記興行主による操作入力を受け付ける興行主端末と、前記チケット販売システムを構築及び管理する管理会社の管理システムと、前記興行主端末と前記管理システムとの間の通信を媒介するネットワークと、を有し、前記管理システムは、前記興行主端末を認証するための認証情報を記憶する認証情報データベースと、前記興行情報を記憶するための興行情報データベースとを有する記憶部を有し、前記興行主端末により興行情報の入力要求が前記ネットワークを介して前記管理システムに送信されたとき、前記認証情報を用いて前記興行主端末の認証を行い、認証に合格した場合に、前記興行主端末に対して前記ネットワークを介した前記興行情報データベースへの入力を許可する。
【００１１】
好適には、前記興行主端末により興行情報の編集要求が前記ネットワークを介して前記管理システムに送信されたとき、前記認証情報を用いて前記興行主端末の認証を行い、認証に合格した場合に、前記興行主端末に対して前記ネットワークを介した前記興行情報データベースに記憶された興行情報の編集を許可する。
【００１２】
好適には、前記興行情報は、当該興行が行われる会場名、興行名、ジャンル、興行期間、興行主の連絡先情報、席種、料金、出演者、演目、情報公開日、チケットの発売日、興行に関する画像、前記興行主による当該興行に対するコメント、のうちの少なくとも１つを含む。
【００１３】
好適には、前記ネットワークはインターネットであり、前記興行主端末は、前記認証に合格した際に、興行情報入力用のウェブページにおいて前記興行情報の入力を行う。
【００１４】
好適には、前記管理システムは、当該管理システムの担当者によるチケット販売システムの管理のための操作を受け付ける操作部をさらに有し、前記興行主端末を介した前記興行主或いは前記操作部を介した前記担当者により前記興行情報データベースに記憶された興行情報の編集が行われている際には、他の担当者による前記興行情報の編集を阻止する。
【００１５】
第２の発明のチケット販売システムは、興行に関する各種情報である興行情報を開示し、当該興行のチケットを販売するチケット販売システムにおいて、興行を主催する興行主が興行情報を直接入力することができるチケット販売システムであって、前記興行主による操作入力を受け付ける興行主端末と、前記チケット販売システムを構築及び管理する管理会社の管理システムと、前記興行主端末と前記管理システムとの間の通信を媒介するネットワークと、を有し、前記管理システムは、記憶部と、制御部と、を有し、前記記憶部は、前記興行主端末を認証するための認証情報を記憶する認証情報データベースと、前記興行情報を記憶するための興行情報データベースとを有し、前記制御部は、前記興行主端末により興行情報の入力要求が前記ネットワークを介して前記管理システムに送信されたとき、前記認証情報を用いて前記興行主端末の認証を行い、認証に合格した場合に、前記興行主端末に対して前記ネットワークを介した前記興行情報データベースへの入力を許可する。
【００１６】
第３の発明の管理システムは、興行に関する各種情報である興行情報を開示し、当該興行のチケットを販売するチケット販売システムにおいて、興行情報を記憶・管理し、興行を主催する興行主に対して当該興行に関する興行情報の入力を許可する管理システムであって、ネットワークを介して前記興行主により操作される興行主端末との通信を行う通信部と、記憶部と、制御部と、を有し、前記記憶部は、前記興行主端末を認証するための認証情報を記憶する認証情報データベースと、前記興行情報を記憶するための興行情報データベースとを有し、前記制御部は、前記興行主端末により興行情報の入力要求を前記ネットワークを介して前記通信部が受信したとき、前記認証情報を用いて前記興行主端末の認証を行い、当該認証に合格した場合に、前記興行主端末に対して前記ネットワークを介した前記興行情報データベースへの入力を許可する。
【発明の効果】
【００１７】
本発明によれば、興行主からチケット販売業者への興行に関する情報の伝達時に誤った情報が伝えられることのない興行情報入力方法、チケット販売システム及び管理システムを提供することができる。
【発明を実施するための最良の形態】
【００１８】
以下、本発明の実施形態のチケット販売システム１０００について説明する。
図１は、本実施形態のチケット販売システム１０００の構成の一例を示す図である。
図１に示すように、チケット販売システム１０００は、興行主端末１、購入者端末２、ネットワーク３、管理システム４を有する。
【００１９】
興行主端末１は、興行を主催する主催者（興行主）が操作を行うための端末装置であり、例えばＰＣ（Personal Computer）である。
購入者端末２は、興行のチケットを購入しようとしてチケット販売システム１０００を利用する購入者がチケット購入のための操作を行う端末装置であり、例えばＰＣである。
ネットワーク３は、例えばインターネット等のネットワークであり、興行主端末１、購入者端末２、管理システム４に接続される。
【００２０】
管理システム４は、チケット販売システム１０００において、興行主に代わってチケット販売を行うチケット販売業者の有するシステムであり、例えばＰＣ、ワークステーション、サーバ装置等、少なくとも１つのコンピュータにより構成されている。
管理システム４は、例えば、以下のような構成を有する。
図１に示すように、管理システム４は、通信部４１、操作部４２、表示部４３、記憶部４４、制御部４５を有する。
通信部４１は、ネットワーク３に接続され、ネットワーク３を介して興行主端末１や購入者端末２との通信を行う。
操作部４２は、例えばキーボードやマウス等、操作者（チケット販売会社の担当者等）の操作を受け付ける操作デバイスである。
表示部４３は、例えば液晶ディスプレイ（ＬＣＤ：Liquid Crystal Display）やＣＲＴ（Cathode Ray Tube）ディスプレイ等の表示デバイスであり、管理システム４の実行する処理に応じた表示を行う。
【００２１】
記憶部４４は、管理システム４の各処理に使用される各種情報を記憶する記憶装置である。記憶部４４は、認証情報データベース（ＤＢ）５１及び興行情報ＤＢ５２を有する。
制御部４５は、管理システム４の動作を統括的に制御し、上述した各処理を実行する。
【００２２】
チケット販売システム１０００において、管理システム４は上述した構成により、ネットワーク３（インターネット）上に興行のチケットを販売するためのウェブページを公開している。
管理システム４が公開するウェブページは、興行主が主催する興行のチケットを購入希望者に対して販売するためのウェブページ（以後チケット販売ページと称する）と、チケット販売ページに記載する興行についての詳細な各種情報を入力するためのウェブページ（興行情報入力ページと称する）とを含んでおり、ネットワーク３を介して興行主端末１及び購入者端末２からこれらのウェブページにアクセスすることが可能になっている。
【００２３】
ここで、チケット販売ページは購入者がその内容を閲覧し、チケットを購入可能であるように構成されている。管理システム４のチケット販売ページの生成方法及び、チケット販売ページの内容、またチケット販売ページにおけるチケット販売方法については、本発明では特に限定しない。既存の技術を利用することが可能である。
興行情報入力ページは、その入り口（トップページ）において、例えばＩＤとパスワードによる認証を行い、認証に合格した者のみがトップページより下の階層に存在する各ページへとアクセス可能であるように構成されている。
【００２４】
興行情報入力ページの画面（興行主端末１等に表示される興行情報入力のための画面）情報は、上述した管理システム４の制御部４５が興行主端末１からの興行情報入力要求に応じて必要な情報を通信部４１に送信させることにより、興行主端末１のインターネットブラウザ等に表示される。
また、チケット販売ページの画面（例えば購入者端末２に表示される興行に関する各種情報表示と興行のチケット販売のための画面）は、興行情報入力ページにおいて興行主によって入力された興行に関する各種情報を含む画面であり、制御部４５は購入者の操作に応じて必要な情報を通信部４１により購入者端末２に送信し、購入者端末２は受信した情報を基にチケット販売ページの画面を例えばインターネットブラウザ等に表示する。これにより購入者は興行に関する情報を入手し、チケットの購入を行うことができる。
【００２５】
本実施形態のチケット販売システム１０００では、購入者へのチケット販売に関する処理については上述したように限定しない。以下では、本実施形態のチケット販売システム１０００における、興行主による興行情報入力に関する各処理について説明する。
管理システム４は、チケット販売システム１０００における、興行主端末から入力される興行に関する各種情報を受け付けるために以下のような処理を行う。
・チケット販売システム１０００を利用した興行情報の開示とチケット販売とを希望する興行主に対して、ＩＤやパスワード等のＩＤ情報を発行する登録処理
・興行主が入力したＩＤ情報を基に認証を行う認証処理
・認証処理に成功した興行主が入力した（購入者に開示される）興行に関する各種情報を受け付ける入力処理
・購入者に開示される興行に関する情報を編集・管理する編集処理
各処理の詳細について以下説明する。
【００２６】
＜登録処理＞
図２は、登録処理時の興行主端末１と管理システム４の動作例を示したシーケンス図である。
ステップＳＴ１１１：
興行主端末１は、興行主の操作に応じて、チケット販売システム１０００の利用要求（登録要求）を管理システム４に対して送信する。
具体的には、チケット販売システム１０００の利用を要求するＥメールを管理システム４に対して送信したり、或いは管理システム４が予めインターネット上に用意した登録用ウェブページにおいて要求動作を行ったりする。
ステップＳＴ１４１：
管理システム４の制御部４５は、ステップＳＴ１１１における興行主からの登録要求に応じて、登録用フォームと利用規約ガイドラインとを含むウェブページへのリンク情報を送信する。登録用フォームは、例えば興行主の氏名（団体名或いは代表者名など）、住所、メールアドレス、電話番号、ＦＡＸ番号、口座番号等、興行主に関する情報（登録情報）を入力するためのフォームである。利用規約ガイドラインは、チケット販売システム１０００の利用に当たっての規約をまとめたものである。
【００２７】
ステップＳＴ１１２：
利用規約ガイドラインを含むウェブページが興行主端末１に表示される。興行主が利用規約ガイドラインを参照し、利用規約に同意する入力を興行主端末１に対して行った場合は、ステップＳＴ１１３に進む。利用規約に同意しない入力が興行主端末１に対してなされた場合は、処理を終了する。
ステップＳＴ１１３：
興行主端末１は、興行主による登録用フォームへの登録情報入力を受け付ける。
なお、登録用フォームの代わりに、ステップＳＴ１１１におけるインターネット上の登録用ウェブページから要求動作が行われた場合には、登録用ウェブページから登録用フォーム及び利用規約ガイドラインを含むウェブページへのリンクを辿ることにより登録用フォームへの登録情報の入力を行うように構成してもよい。
【００２８】
ステップＳＴ１４２：
管理会社は、ステップＳＴ１１３において送信された登録情報を基に当該登録情報の興行主の登録を許可するか否かの審査を行う。審査が終了したら、管理会社の担当者等によって操作部４２から登録を許可する入力、或いは登録を許可しない入力が管理システム４に対してなされる。管理システム４の制御部４５は、登録を許可する入力がなされた場合は興行主端末１に対して入金を促す入金案内通知を通信部４１に送信させ、ステップＳＴ１１４に進む。登録を許可しない入力がなされた場合は、登録できないことを記した登録不可通知を興行主端末１に対して送信させ、処理を終了する。上記通知は、例えばＥメール等により通知されるようにすればよい。
なお、興行主の登録を許可するか否かの審査は、例えば管理会社の担当者が手動で行っても良いし、予め審査項目を管理システム４の記憶部４４に記憶しておき、制御部４５がこれに従って行うようにしてもよい。すなわち、審査項目及び審査方法は本発明では特に限定しない。
ステップＳＴ１１４：
興行主は、ステップＳＴ１４２において管理システム４から送信された入金案内通知の内容に従って、入金処理を行う。入金処理の具体的な方法については本発明では限定しないが、興行主が行った入金が管理会社に通知されるような入金方法が望ましい。
【００２９】
ステップＳＴ１４３：
管理システム４の制御部４５は、興行主からの入金確認を行い、入金が確認された場合はステップＳＴ１４４に進み、確認されなかった場合は督促通知を興行主端末１に対して送信する。
ステップＳＴ１４４：
管理システム４の制御部４５は、興行主に対するＩＤ（例えば複数桁の英数字等）を発行し、興行主端末１に対して通知する。同時に、パスワードを設定するためのパスワード設定フォームを興行主端末１に対して送信する。
なお、ＩＤの決定方法は、例えば、制御部４５が記憶部４４内の認証情報ＤＢ５１に記憶された他の登録済みの興行主のＩＤと一致しないような文字列をランダム生成すればよい。ただし、ＩＤ情報の決定方法については本発明では限定しない。
【００３０】
ステップＳＴ１１５：
興行主端末１は、興行主の操作に応じて、ステップＳＴ１４４において管理システム４から送信されたパスワード設定フォームにおけるパスワード設定を行い、設定したパスワードを管理システム４に対して通知する。
ステップＳＴ１４５：
管理システム４は、ステップＳＴ１１５において興行主端末１から通知されたパスワードを、ＩＤとともに認証情報として記憶部４４の認証情報ＤＢ５１に記憶させる。
【００３１】
以上のように興行主がチケット販売システム１０００に登録されると、興行主は管理会社が提供する興行情報入力ページにおいて興行情報の新規入力及び編集を行うことができるようになる。
興行情報とは、興行主が主催する興行（興行）に関する各種情報である。
興行情報は、例えば、会場名、興行名、興行のジャンル、興行期間、問合せ先情報（興行主の連絡先）、席種（指定席、自由席、席のランク、席種ごとの数等）、料金、出演者、演目、情報公開日（興行情報を一般に公開する日）、チケットの発売日、興行に関する画像やコメント等、興行に関する情報である。
【００３２】
興行主が興行情報の入力を行いたい場合には、興行主は興行主端末１を介して、興行情報入力用ページにアクセスする。ここで、興行主が興行情報入力用ページへのアクセスを希望したときには、興行主が登録されているか否かを判定する認証処理が行われるようになっており、認証に合格したもの（登録された興行主）以外は興行情報入力用ページにアクセスすることができないようになっている。
以下、認証処理の詳細について説明する。
【００３３】
＜認証処理＞
図３は、認証処理の際の興行主端末１と管理システム４の動作例を示すシーケンス図である。
ステップＳＴ２１１：
興行主端末１において、興行主が認証情報の入力を行い、入力された認証情報が管理システム４に送信される。
ステップＳＴ２４１：
管理システム４の制御部４５は、ステップＳＴ２１１において興行主端末１から送信された認証情報と一致する認証情報を記憶部４４の認証情報ＤＢ５１内において検索する。
【００３４】
ステップＳＴ２４２：
管理システム４の制御部４５は、ステップＳＴ２４１における検索にて、ステップＳＴ２１１において興行主端末１から送信された認証情報と一致する認証情報が認証情報ＤＢ５１内にあった場合はステップＳＴ２４３に進み、なかった場合は認証不可であることを興行主端末１に対して通知し、処理を終了する。
ステップＳＴ２４３：
管理システム４の制御部４５は、以後この興行主の興行情報ＤＢ５２へのアクセス及び編集を許可し、認証に合格した旨を興行主端末１に対して通知する。
【００３５】
以上の認証処理に合格することにより、興行主はチケット販売システム１０００における興行情報登録用ページへのアクセスが可能になる。
具体的な例を挙げると、例えば上述した認証処理に合格した興行主の興行主端末１は、興行情報入力用ページへのアクセスが可能となり、興行情報入力用ページのトップページが表示される。
興行情報入力用ページのトップページは、例えば、メインメニュー画面である。メインメニュー画面は、例えば「新規興行の作成」、「興行情報の編集」等の選択肢が表示されたメニュー画面であり、これらの選択肢の１つが興行主により選択されることで、興行主は興行情報を入力しチケットの販売を管理会社に依頼することが可能となる。
例えば、興行主端末１により、「新規興行の作成」が選択された場合は、興行主が興行主端末１を介して興行情報を入力し、管理システム４の興行情報ＤＢ５２に新規登録することができる。「興行情報の編集」が選択された場合は、興行情報ＤＢ５２に既に記憶された興行情報を編集することができる。また、これらの選択肢の他に、上述した登録処理において興行主が入力した情報を編集（例えば名前や住所の変更等）できる「登録情報の編集」や、興行主が管理会社にチケット販売を依頼する興行の細かい座席設定を行うことができる「座席登録」等の選択肢がメインメニュー画面に存在してもよい。
以下では、興行情報入力用ページにおいて、興行主により「新規興行の作成」が行われる（入力処理）場合のチケット販売システム１０００の動作例について説明する。
【００３６】
＜入力処理＞
図４は、入力処理の際の興行主端末１と管理システム４の動作例を示すシーケンス図である。
ステップＳＴ３１１：
興行主が興行主端末１を介して、興行情報の新規入力を開始する要求を管理システム４に対して送信する。具体的には、興行情報入力用ページのメインメニューにおいて、「新規興行の作成」を選択する。
ステップＳＴ３４１：
管理システム４の制御部４５は、興行情報を入力するための興行情報入力用フォームを興行主端末１に対して通信部４１に送信させる。興行情報入力用フォームは、興行情報入力用ページに複数のページに亘って含まれ、例えばウェブブラウザに表示される選択式或いは文字入力式の入力フォームである。興行情報入力用フォームは、例えば複数の項目ごとに複数のページに分かれていてもよい。
ステップＳＴ３１２：
興行主端末１において興行情報入力用フォームが表示され、まず会場の選択が行われる。
会場の選択は、例えば、管理システム４から興行主端末１に管理会社が取り扱い可能な会場の一覧データが送信され、興行主端末１に表示された興行情報入力用フォーム内の会場一覧の中から興行主が選択することにより行われる。
【００３７】
ステップＳＴ３１３：
ステップＳＴ３１２における会場選択において、興行主の希望する会場が管理システム４から送信された会場一覧の中にあった場合はステップＳＴ３１４に進み、なかった場合は、興行主端末１は希望の会場の設定依頼を管理システム４に送信してステップＳＴ３４１に進む。
ステップＳＴ３４２：
管理システム４の制御部４５は、興行主端末１に依頼された会場設定を行い、ステップＳＴ３１４に進む。なお、本ステップは管理会社の担当者が興行主からの依頼に応じて手動で会場設定を行うようにしてもよい。会場設定とは、興行主が入力中の興行情報に、興行主によって指定された会場のデータを対応付けることを意味する。
【００３８】
ステップＳＴ３１４：
興行主端末１において、興行主により興行に関する各種情報が興行情報入力用フォームを介して入力され、入力された情報が管理システム４に送信される。
ステップＳＴ３４３：
管理システム４の制御部４５は、興行主端末１から送信された興行に関する各種情報を記憶部４４の興行情報ＤＢ５２に記憶する。
【００３９】
ステップＳＴ３１５：
興行主端末１において、興行主が入力した興行に関する情報の確認が行われる。興行に関する情報の確認は、例えば、興行情報入力用ページの興行情報入力用フォームの次に、これまでに入力された興行情報を一覧表示し、これが興行主端末１に表示されて入力した情報で間違いない（ＯＫ）か否か（ＮＧ）かを選択できるような確認ページが用意され、当該確認用ページにおいて興行主が確認を行うことにより行われる。ＯＫであった場合はステップＳＴ３１６に進み、ＮＧであった場合はステップＳＴ３１４に戻る。
ステップＳＴ３１６：
興行主端末１において、興行主は興行情報の登録料金の支払いを管理会社に対して行う。支払いの方法については、本実施形態では特に限定しない。
【００４０】
ステップＳＴ３１７：
興行主端末１において、興行主は、これまでのステップにおいて入力した興行に関する情報が公開可（ＯＫ）であるか否かを選択する。これは、上述したステップにおいて入力された興行に関する各種情報が、管理会社が運営するチケット販売のためのウェブサイトに入力した興行の情報を公開してもよいか否かを選択することを意味する。
興行主によって公開可であることが選択された場合はステップＳＴ３４５に進み、公開不可（ＮＧ）である場合はステップＳＴ３４４に進む。
ステップＳＴ３４４：
管理システム４の制御部４５は、興行主による入金があったか否かを判定し、入金が確認された場合はステップ３４５に進み、入金が確認されなかった場合は督促通知を興行主端末に対して行う。
【００４１】
ステップＳＴ３４５：
管理システム４の制御部４５は、ステップＳＴ３４３において興行情報ＤＢ５２に記憶した興行情報を公開不可に設定し、処理を終了する。
ステップＳＴ３４６：
管理会社において、興行主によって入力された興行情報について公開可能であるか否かの審査が行われ、公開可能である場合は管理会社の担当者によって公開可能である旨が管理システム４に入力されてステップＳＴ３４７に進み、公開不可能である場合はその旨が入力され、公開不可能であることを興行主端末１に対して通知し、処理を終了する。
なお、管理会社における公開可能であるか否かの審査の基準等については本発明では限定しない。
【００４２】
ステップＳＴ３４７：
管理システム４は、上記ステップにおいて入力された興行情報を公開する。例えば管理会社が管理するチケット販売用のウェブページ、チケット販売用ページにおいて公開するようにすればよい。なお、管理会社の開設したチケット販売用ページには、複数の興行ごとの情報を開示し、その興行ごとのチケットの販売を行うページへのリンクが用意されており、チケット販売用ページのトップページ等に設置された興行検索ページにおいて、チケットの購入希望者が好みの興行を検索して選択した興行情報の詳細を見る操作を行うことにより、該当する興行の興行情報を公開するウェブページが表示されるようにすればよい。
【００４３】
なお、上述した図４において説明した興行情報の入力処理においては、興行主が入力した興行情報を公開するか否かについて興行主が選択し、選択した結果が興行主端末１へ入力されることにより公開するか否かが決定されていたが、例えば興行情報の入力処理から所定の日時（例えば２日）後に自動的に公開されるように初期設定されており、興行主の希望次第で公開する日時を自由に変更できるようにしてもよい。この場合には、興行主側に公開する日時について特に希望がない場合、公開するか否かに関する決定と入力とを行う必要がなく、操作が簡便になる。
【００４４】
以下、上述した入力処理における、興行情報入力用フォームの具体例について説明する。
なお、上述したように、興行主の興行情報入力時に興行主端末１に表示される興行情報入力用フォームは、管理システム４が生成した興行情報入力用ページに含まれて構成されており、種々の興行に関する情報を入力可能な複数のページの組み合わせにより構成される。
【００４５】
まず、興行主が興行情報入力用ページにおいて、図３と関連付けて説明した認証処理に成功した場合、「メインメニュー」画面が表示される。「メインメニュー」画面は、チケット販売システム１０００に登録した興行主が利用可能なサービスを示したメニューであり、例えば「登録情報の編集」、「新規興行の作成」、「座席登録」、「興行情報の編集」等の項目が含まれる画面である。
ここでは、興行主が新規に興行を登録する場合について説明するので、「新規興行の作成」項目が興行主によって選択されたとする。
【００４６】
「新規興行の作成」項目が選択されると、「会場の選択」画面に切り替わる。「会場の選択」画面では、都道府県名と会場の名称の入力欄、及び検索実行ボタンが存在し、会場の検索を行うことが可能になっている。すなわち、興行主が興行を行いたい都道府県名と、既に希望する会場が決まっている場合にはその名称を記入して検索ボタンを押すことにより、入力された内容に該当する会場（該当するものが複数ある場合はその一覧）が表示される。なお、会場の名称は入力されずともよく、その場合は都道府県名のみ入力されて検索ボタンが押されることになり、入力された都道府県に存在する、管理会社が取り扱い可能な会場の一覧が表示される。
【００４７】
会場の一覧が表示された画面において、興行主がそのうちの１つを選択することにより、会場が決定される。なお、会場一覧に興行主が希望する会場がなかった場合には、興行主は管理会社に対して会場の設定依頼を行うことが可能である。例えば、会場一覧を表示する画面内に会場作成ボタンが存在し、興行主がこれを押下することにより、興行主が入力した会場を取り扱い可能とするように管理会社に対して要求がなされることになる。この場合、管理システム４が自動的に設定依頼された会場の設定を行うか、管理会社の担当者が例えば電話等の交渉により会場の設定を行い、管理システム４に反映させる。
なお、「会場の選択」画面における会場の選択が上述した図４に示すシーケンス図におけるステップＳＴ３１２、３１３、３４２に対応している。
【００４８】
会場が決定したら、次に「興行の名称の入力」画面が興行主端末１に表示される。「興行の名称の入力」画面は、興行の名称入力欄を有し、興行主により興行名の入力が可能である。また、名称の補足として補足名称（サブタイトル等）を付けることも可能である。
名称が決定されたら、次に「ジャンル選択」画面が表示される。「ジャンル選択」画面には予め複数のジャンルが表示され、興行主はこの中から実施したい興行のジャンルを選択することになる。興行主が選択するジャンルはいくつでもよいが、最低でも１つは選択する必要がある。
【００４９】
興行のジャンルが選択されたら、次に「興行期間設定」画面が表示される。「興行期間設定」画面においては、興行開始日と興行終了日を入力する欄が存在し、興行主がこれらを指定できるようになっている。また、興行期間中いつでも有効なチケットを販売したい場合には、チケットでの日時を指定しないようにすることも可能である。興行期間の設定がなされたら、次に「興行日及び時間指定」画面に遷移し、休演日や興行期間中の各日の開場・開演時間の設定を行うことができる。
【００５０】
次に「問合せ情報」画面が興行主端末１に表示され、購入者（チケット販売システム１０００を利用したチケットの購入希望者）からの興行主への連絡先を入力することが可能となる。
さらに、「席種・料金設定」画面に遷移し、チケット販売システム１０００で販売しようとするチケットの座席の種類及びその料金についての指定を行うことができる。「席種・料金設定」画面においては、例えば席種区分として指定席（チケットに座席番号を表記させる）、整理券（チケットに整理番号を表記させる）、自由席（チケットに座席番号も整理番号も表示させない）を指定したり、販売区分として大人・子供等複数の価格のチケットを指定したり、座席名称（ＳＳ席、Ｓ席等）を指定したりすることが可能である。
【００５１】
席種・料金が設定されたら、「出演者・演目・注意事項の設定」画面が表示される。「出演者・演目・注意事項の設定」画面においては、興行主はチケット販売システム１０００の購入者に対する注意事項・販売情報（年齢制限、ドリンク付きか否か等）、出演者の名前等、演目（興行のタイムスケジュールやコンサート等の場合曲目等）を設定することができる。
出演者・演目・注意事項の設定が設定されたら、次に「発売情報設定」画面が表示される。「発売情報設定」画面においては、情報公開日（興行に関する情報を公開する日）の指定を行うことができる。また、「発売情報設定」画面では、チケットの販売形態においても設定が可能である。すなわち、プレオーダー（一般発売に先立っての抽選販売）等、一般発売とは異なる販売形態を指定することも可能である。
【００５２】
発売情報に関する設定がなされたら、次にチケット販売システム１０００における本興行の販売ページに掲載される「画像・コメント設定」画面が表示される。「画像・コメント設定」画面においては、興行主は興行のお勧めコメント（購入者に対するアピールとなるようなコメント）、画像等を設定することが可能である。
「画像・コメント設定」画面での設定が終了したら、「興行情報確認」画面が表示される。「興行情報確認」画面においては、これまで興行主が興行主端末１から入力した設定内容が一覧として表示され、興行主がこれを見て入力した内容が正しいか否かを確認することが可能である。そして、入力した情報が正しかった場合は、「興行情報確認」画面内に用意された情報公開依頼ボタンを興行主が押下することによって、管理システム４に対して入力された興行情報の公開依頼が伝えられる。「興行情報確認」画面における入力情報の確認が図４に示すシーケンス図のステップＳＴ３１５に、情報公開依頼ボタンによる操作がステップＳＴ３１６にそれぞれ対応している。
【００５３】
上述した興行主による興行情報入力の具体例は一例であり、他に以下のような入力を行うことが可能であってもよい。
例えば、興行主は、上述したように入力した興行に関して、座席を詳細に登録することが可能である。
興行主は、座席を登録したいときには、座席登録用の興行選択ページに表示された、上述したように既に入力した興行の一覧（入力した興行が複数ある場合）の中から、座席を登録したい興行を選択する。
興行主が座席を登録したい興行を選択したら、「簡易座席登録」画面が表示される。「簡易座席登録」画面においては、選択された興行に対応した座席内容の入力を行うことができる。例えば、具体的には、席種の指定、指定する座席の枚数、指定席の場合には席番号等の登録が可能である。
【００５４】
また、興行主は、チケットのデザインを直接指定できる。すなわち、チケット券面登録ページにおいては、例えばチケットの雛形が表示され、デザイン、チケットに印刷する文言等の指定を行うことができる。
【００５５】
また、興行主は、興行のチケットの一部（或いは全て）を先行発売や、抽選による販売を行うように設定することも可能である。
例えば、興行主は、上述したように興行情報を入力した際に、チケットの「販売方法区分」について指定することができる。すなわち、「販売方法区分」として、抽選による販売、或いは通常の先着順による販売の中から指定したい販売方法を選択することができる。
【００５６】
ここで、興行主により抽選による販売が選択された場合は、情報公開日から一般のチケット発売日（一般発売日）までの間の先行受付開始日（先行発売日）を設定できる。また、先行受付の受付期間の設定も可能である。ここで、先行発売日から一般発売日までの期間を算出し、所定の日数以上でない場合には、エラーを表示し、先行発売日を設定し直させるようにしてもよい。これは、先行販売の処理に所定の日数が必要となるからである。
また、抽選受付における抽選の実行日、抽選の結果選出される人数（座席数）等を設定できる。抽選の方法については、本実施形態では限定しない。
【００５７】
さらに、興行主は、当日引き換えの方法で受付をすることも可能である。すなわち、購入者に予め予約と入金のみを行わせ、興行当日に指定された場所に購入者の認証（予約済み且つ入金済みであるか否か）が可能な情報を送るように設定することもできる。また、この際、当日引き換えの場合のみ一般販売と比較してチケットの価格を安く（或いは高く）設定したり、当日引き換えの席種を一般販売と変えたりすることも可能である。
【００５８】
なお、ここでは興行情報が項目ごとに異なるページにおいて設定される場合について説明したが、本発明はこれには限定されない。
以下、具体的な変形例について説明する。
【００５９】
興行主が興行情報入力用ページにおいて、図３と関連付けて説明した認証処理に成功し、「メインメニュー」画面において「新規興行の作成」項目が選択された場合、「興行情報設定」画面が表示される。
「興行情報設定」画面は、例えば、「会場の選択」画面、「興行日及び時間指定」画面、「席種・料金設定」画面、「チケット枚数設定」画面、「チケット印字情報設定」画面、「ジャンル設定」画面、「おすすめコメント設定」画面、「画像・動画・チラシ設定」画面、「興行詳細情報設定」画面等の各画面へのリンクを１ページにまとめた画面である。各画面の詳細については後述する。
さらに、「興行情報設定」画面には、リンク先の各種情報の設定画面において設定された情報が反映され表示されるようになっている。
【００６０】
すなわち、上述した興行情報入力用フォームが複数の異なるページの組み合わせにより構成される場合のように、各画面における設定を順番に行うのではなく、「興行情報設定」画面から各画面へ任意に移動することができるため、興行主が任意の順序で設定を行うことができ、使い勝手が向上すると共に、興行に関する各種情報の設定の全体工程を興行主が把握しやすくなっている。また、興行主は「興行情報設定」画面において設定済みの情報を一目で確認することができる。
【００６１】
具体的には、例えば、まず、「興行情報設定」画面において、興行主は興行の名称を入力する入力欄に興行の名称を入力する。興行の名称が入力されたら、その後、興行主は以下説明するように興行に関する各種情報を各画面へのリンクを辿りながら入力していくことになる。
【００６２】
或いは、例えば、「興行情報設定」画面において、興行主が「会場の選択」画面へのリンクを選択した場合には、上述した「会場の選択」画面が表示される。「会場の選択」画面において、興行主が会場を設定すると、再度「興行情報設定」画面へと表示画面が戻る。「興行情報設定」画面へと表示画面が戻った際には、「会場の選択」画面において設定された会場が、「興行情報設定」画面の「会場の選択」画面へのリンク付近に表示される。
【００６３】
或いは、例えば、「興行情報設定」画面において、興行主が「公演日及び時間指定」画面へのリンクを選択した場合には、上述した「公演日及び時間指定」画面が表示される。「公演日及び時間指定」画面において、興行主が興行の日時、興行開催期間等を設定すると、再度「興行情報設定」画面へと表示画面が戻る。「興行情報設定」画面へと表示画面が戻った際には、「公演日及び時間指定」画面において設定された公演日や開催期間等が、「興行情報設定」画面の「公演日及び時間指定」画面へのリンク付近に表示される。
【００６４】
或いは、例えば、「興行情報設定」画面において、興行主が「席種・料金設定」画面へのリンクを選択した場合には、上述した「席種・料金設定」画面が表示される。「席種・料金設定」画面において、興行主が席種及び料金等を設定すると、再度「興行情報設定」画面へと表示画面が戻る。「興行情報設定」画面へと表示画面が戻った際には、「席種・料金設定」画面において設定された席種及び料金等が、「興行情報設定」画面の「席種・料金設定」画面へのリンク付近に表示される。
【００６５】
或いは、例えば、「興行情報設定」画面において、興行主が「チケット枚数設定」画面へのリンクを選択した場合には、「チケット枚数設定」画面が表示される。「チケット枚数設定」画面は、興行主が販売したいチケットの枚数及びチケットの整理番号を設定する画面である。「チケット枚数設定」画面において、興行主がチケット枚数及びチケットの整理番号を決定すると、再度「興行情報設定」画面へと表示画面が戻る。「興行情報設定」画面へと表示画面が戻った際には、「興行情報設定」画面の「チケット枚数設定」画面へのリンク付近にチケットの枚数及びチケットの整理番号が設定済みである旨が表示される。
【００６６】
或いは、例えば、「興行情報設定」画面において、興行主が「チケット印字情報設定」画面へのリンクを選択した場合には、「チケット印字情報設定」画面が表示される。「チケット印字情報設定」画面は、チケットに印字される情報について設定する画面である。チケットに印字可能である情報は、例えば、興行のタイトル、主催者・協賛者・後援者等、興行開催期間、問い合わせ先、会場名等である。「チケット印字情報設定」画面において、興行主がチケットに印字される情報を設定すると、再度「興行情報設定」画面へと表示画面が戻る。「興行情報設定」画面へと表示画面が戻った際には、「興行情報設定」画面の「チケット印字情報設定」画面へのリンク付近にチケット印字情報について設定済みである旨が表示される。
【００６７】
或いは、例えば、「興行情報設定」画面において、興行主が「ジャンル設定」画面へのリンクを選択した場合には、上述した「ジャンル設定」画面が表示される。「ジャンル設定」画面において、興行主がチケット販売ページに記載される興行のジャンル等を設定すると、再度「興行情報設定」画面へと表示画面が戻る。「興行情報設定」画面へと表示画面が戻った際には、「興行情報設定」画面の「ジャンル設定」画面へのリンク付近にジャンルについて設定済みである旨が表示される。
【００６８】
或いは、例えば、「興行情報設定」画面において、興行主が「おすすめコメント設定」画面へのリンクを選択した場合には、「おすすめコメント設定」画面が表示される。「おすすめコメント設定」画面は、管理システム４のチケット販売ページに表示される、興行主がチケット購入者に対してアピールとなるようなコメントを設定する画面である。「おすすめコメント設定」画面において、おすすめコメントを設定すると、再度「興行情報設定」画面へと表示画面が戻る。「興行情報設定」画面へと表示画面が戻った際には、「興行情報設定」画面の「おすすめコメント設定」画面へのリンク付近におすすめコメントについて設定済みである旨が表示される。
【００６９】
或いは、例えば、「興行情報設定」画面において、興行主が「画像・動画・チラシ設定」画面へのリンクを選択した場合には、「画像・動画・チラシ設定」画面が表示される。「画像・動画・チラシ設定」画面は、管理システム４のチケット販売ページに表示される、興行をアピールする画像・動画等を設定する画面である。ここで興行主が設定可能な画像や動画は、例えば所定のファイル容量以下の画像ファイル・動画ファイルであり、興行主がこれらをアップロードすることにより画像や動画が管理システム４の興行情報ＤＢに記憶される。「画像・動画・チラシ設定」画面において、興行をアピールする画像・動画等が設定されると、再度「興行情報設定」画面へと表示画面が戻る。「興行情報設定」画面へと表示画面が戻った際には、「興行情報設定」画面の「画像・動画・チラシ設定」画面へのリンク付近に画像や動画が設定済みである旨が表示される。或いは、「画像・動画・チラシ設定」画面において設定された画像・動画等のファイル名が「興行情報設定」画面の「画像・動画・チラシ設定」画面へのリンク付近に表示されてもよい。
【００７０】
或いは、例えば、「興行情報設定」画面において、興行主が「興行詳細情報設定」画面へのリンクを選択した場合には、「興行詳細情報設定」画面が表示される。「興行詳細情報設定」画面は、例えば、興行主の問い合わせ先情報、興行の年齢制限やドリンク代の有無に関する情報、出演者や曲目・演目等、興行に関する各種詳細情報を設定する画面である。「興行詳細情報設定」画面において、興行主が興行に関する各種詳細情報を設定すると、再度「興行情報設定」画面へと表示画面が戻る。「興行情報設定」画面へと表示画面が戻った際には、「興行情報設定」画面の「興行詳細情報設定」画面へのリンク付近に各種詳細情報について設定済みである旨が表示される。
【００７１】
さらに、「興行情報設定」画面において、例えば上述したように興行主が入力した各種情報を管理システム４のチケット販売ページに公開する日付（情報公開日）や、チケットを販売開始する日付（チケット発売日）等を設定可能であるようにしてもよい。
【００７２】
このように「興行情報設定」画面に各設定画面へのリンクを配置することにより、興行主は各種情報の入力の全体工程を把握しやすくなっている。
すなわち、本実施形態のチケット販売システム１０００を初めて利用する等、チケット販売システム１０００にあまり習熟していない興行主に対しては、各設定画面へのリンクを配置した「興行情報設定」画面を介する情報の入力の方が好適である。
【００７３】
従って、本実施形態のチケット販売システム１０００においては、チケットを販売するウェブページを興行主に提供するサービスにおいて、興行情報入力用フォームが複数の異なるページの組み合わせにより構成される場合（以下第１のサービスと称する）と、「興行情報設定」画面に各設定画面へのリンクを配置した場合（以下第２のサービスと称する）とを差別化して提供するようにしてもよい。
具体的には、第１のサービスは、ある程度チケット販売システム１０００に習熟した興行主に提供するサービスとして、上述したように、座席を詳細に登録できたり、チケットの販売形態（先行発売、抽選販売、当日引き替え等）を設定できたりといった、詳細な設定が可能である用にする。
一方、第２のサービスは、初めてチケット販売システム１０００を利用する興行主でも利用しやすいように、興行情報の入力がわかりやすくなっている代わりに、詳細な設定を不可能としたり、利用料金を第１のサービスと比較して安価としたりするようにしてもよい。
【００７４】
ところで、管理システム４は、興行主端末１においてなされた興行に関する各種設定内容（興行情報）をネットワーク３を介して取得し、興行情報ＤＢ５２に記憶する。そして興行主からの公開依頼がなされた場合には興行情報の審査を行い、ＯＫである場合には所定の日時経過後公開する。上述したように興行情報の公開は例えばインターネットのウェブサイト上で行われ、チケット販売システム１０００の購入者は購入者端末２を介してチケット購入を希望する興行のウェブページを検索して辿り着くことにより、そのウェブページからその興行のチケットを購入することができるように構成されている。なお、管理会社が興行主の入力した興行情報を基に当該興行のチケットを販売するためのウェブページを製作する方法、或いは購入者が購入者端末２を利用して興行情報が掲載されたウェブページを検索する方法については、本発明では限定しない。既存の技術を利用することが可能である。
【００７５】
なお、上述した興行情報入力用フォームは一例であり、本発明はこれには限定されない。上述したような流れで興行に関する各種情報を適宜入力できるような入力方法を実現できるようなものであればよい。
【００７６】
さて、このように興行主によって入力された興行情報は、チケット販売用ページにおいて購入希望者に公開され、チケットの販売が行われることになる。チケットの用意は、興行主によって入力された興行情報を基に、管理システム４を有する管理会社が行うことになる。すなわち、会場及び座席の確保、チケット販売用ページにおけるチケット購入者へのチケット販売、購入者へのチケットの発送・配送等を管理会社が行うことになる。ただし、チケット販売方法やチケット配送方法等については本発明では限定しない。既存の技術を利用することが可能である。
【００７７】
ところで、興行情報入力後に、興行主の事情等により、興行主が既に入力した興行情報を編集して訂正したくなる場合がある。
このような場合のために、本実施形態のチケット販売システム１０００は、既に入力した興行情報の編集を行うことができるように構成されている。
以下、興行主が既に入力した興行情報を編集する場合の編集処理時の興行主端末１及び管理システム４の動作例について説明する。
＜編集処理＞
図５は、編集処理時の興行主端末１及び管理システム４の動作例を説明するシーケンス図である。
【００７８】
ステップＳＴ４１１：
興行主が興行主端末１を介して、興行情報の編集を開始する要求を管理システム４に対して送信する。具体的には、興行情報入力用ページの「メインメニュー」画面において、「興行情報の編集」項目を選択する。
ステップＳＴ４４１：
管理システム４の制御部４５は、興行情報を編集するための興行情報編集用フォームを興行主端末１に対して通信部４１に送信させる。興行情報編集用フォームは、興行情報入力用フォームと同様に、興行情報編集用ページに複数のページに亘って含まれ、例えばウェブブラウザに表示される選択式或いは文字入力式の入力フォームである。興行情報編集用フォームは、例えば複数の項目ごとに複数のページに分かれていてもよい。
【００７９】
ステップＳＴ４１２：
興行主端末１において興行情報編集用フォームが表示され、興行主により興行に関する各種情報が興行情報編集用フォームを介して編集される。編集された情報は管理システム４に送信される。
ステップＳＴ４４２：
管理システム４の制御部４５は、興行主端末１から送信された、編集された興行情報を記憶部４４の興行情報ＤＢ５２に上書きする。
以上のような手順で興行主は一度確定した興行情報を編集することができる。
【００８０】
上述したように興行主によって入力され、管理システム４の興行情報ＤＢ５２に記憶された興行情報は、チケット販売用ページの生成の際に読み出されることになる。
ここで、チケットを販売する側の管理会社からも、興行情報ＤＢ５２に記憶された興行情報を編集可能であるように構成されている。これは、管理会社側の事情により、興行情報を編集する必要が生じた場合等のためである。
【００８１】
管理システム４による編集処理について以下説明する。
図６は、管理システム４による興行情報の編集処理の動作例を示したフローチャートである。
ステップＳＴ５１：
管理システム４の操作部４２等を介して、興行情報ＤＢ５２に記憶された興行情報のうちの１つの編集が開始される。
【００８２】
ステップＳＴ５２：
管理システム４の制御部４５は、ステップＳＴ５１において編集が開始された興行情報を、現在他の者が編集中であるか否かを判定する。
他の者とは、例えば、当該興行情報を入力した興行主であったり、管理会社の他の担当者であったりする。
本ステップにおいて、他の者が編集中であった場合はステップＳＴ５３に進み、誰も編集中ではなかった場合はステップＳＴ５４に進む。
ステップＳＴ５３：
管理システム４の制御部４５は、他の者が興行情報を編集中であった場合は、当該興行情報を編集できないようにロックする。
【００８３】
ステップＳＴ５４：
管理システム４の制御部４５は、他の者が興行情報を編集中でなかった場合は、編集可能であるとして、例えば操作部４２を介した興行情報の編集入力を受け付ける。
ステップＳＴ５５：
管理システム４の制御部４５は、ステップＳＴ５４においてなされた興行情報の編集入力を基に、記憶部４４の興行情報ＤＢ５２を上書きし記憶させる。
【００８４】
以上説明したように、編集処理においては、誰か１人の人間が興行情報の編集中は、他の人間がその興行情報の編集を行うことができないように編集ロックをかけている。これにより、興行情報のセキュリティ性、単一性を保持することができるようになる。
なお、ここでは管理システム４における興行情報の編集時にのみ、他の者が編集中であるか否かを判定し、編集中であった場合は編集ロックをかける処理について説明したが、上述した興行主による興行主端末１を介した興行情報の編集の際にも編集ロックをかけるようにしてもよい。すなわち、興行主が興行情報の編集を行っている間は、管理システム４からの編集作業を行うことができないように、編集ロックをかける構成としてもよい。
【００８５】
以上説明したように、本実施形態のチケット販売システム１０００によれば、興行を主催する主催者が、管理会社が管理システム４により管理するチケット販売システム１０００に登録を行うことにより、管理システム４が認証情報を発行し、興行主は、認証に合格することによって、管理会社が管理するチケット販売用ページにおいて開示される興行に関する情報を自由に入力及び編集できるようになる。従って、興行主は、従来は管理会社と電話やＦＡＸ等、アナログのやりとりにより興行情報を伝達していたため、聞き間違いやＦＡＸの文字潰れ等による誤った興行情報が伝達される場合があったが、本実施形態のチケット販売システム１０００によれば、そのような事態を回避し、誤りなく興行情報を管理会社側に伝えることができるようになる。
また、本実施形態のチケット販売システム１０００によれば、興行主は興行情報を、興行情報入力用フォーム等、インターネット上に管理システム４が用意したウェブページを介して入力・編集することができ、これらの入力用フォームに入力された興行情報は、確認用画面において一覧表示されるため、入力した興行情報を容易に確認することができる。
また、興行主あるいは管理会社の担当者が興行情報を編集中は、他の者は当該興行情報を編集できないようにロックするため、興行情報のセキュリティ性、単一性が保持される。
【００８６】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
上記説明した興行情報の名称等はすべて一例であり、本発明はこれには限定されない。また、本発明において、興行情報の入力方法については特に限定されない。すなわち、本発明の興行情報の入力方法は、上述した実施形態において説明した各種入力用フォームを使用した興行情報の入力方法に限定されず、他の方法でもよい。また、上述した実施形態の各種入力用フォームは、インターネット上のウェブページに含まれるとしたが、本発明はこれには限定されない。ネットワーク３もインターネットには限定されず、他のより狭い範囲のネットワークであってもよい。
【図面の簡単な説明】
【００８７】
【図１】図１は、本実施形態のチケット販売システムの構成の一例を示す図である。
【図２】図２は、登録処理時の興行主端末と管理システムの動作例を示したシーケンス図である。
【図３】図３は、認証処理の際の興行主端末と管理システムの動作例を示すシーケンス図である。
【図４】図４は、入力処理の際の興行主端末と管理システムの動作例を示すシーケンス図である。
【図５】図５は、編集処理時の興行主端末及び管理システムの動作例を説明するシーケンス図である。
【図６】図６は、管理システムによる興行情報の編集処理の動作例を示したフローチャートである。
【符号の説明】
【００８８】
１０００…チケット販売システム、１…興行主端末、２…購入者端末、３…ネットワーク、４…管理システム、４１…通信部、４２…操作部、４３…表示部、４４…記憶部、４５…制御部
【図１】
2009176278.tif 000003
【図２】
2009176278.tif 000004
【図３】
2009176278.tif 000005
【図４】
2009176278.tif 000006
【図５】
2009176278.tif 000007
【図６】
2009176278.tif 000008